(57)【要約】      （修正有）【課題】調節計を使用することなく、複数のアナログ信号を処理するコントローラで往復動ポンプを運転させることができる運転用コントローラを提供する。【解決手段】往復動ポンプ２に装備された運転制御用のコントローラ１であって、入力された複数のアナログ信号Ａ、Ｂを演算して算出された吐出量に基づき往復動ポンプ２を稼働させる。【選択図】図１
0003170880.tif 000002
【実用新案登録請求の範囲】
【請求項１】
往復動ポンプに装備された運転制御用のコントローラであって、入力された複数のアナログ信号を演算して算出された吐出量に基づき往復動ポンプを稼働させることを特徴とする往復動ポンプの運転用コントローラ。
【考案の詳細な説明】
【技術分野】
【０００１】
本考案は、主に、水道水やプール水等の使用水中に含まれる残留塩素を規定濃度に保持するために、使用水の水質検査で測定された複数項目の測定値に基づいて塩素剤の添加量を演算して稼働させる往復動ポンプの運転用コントローラに関する。
【背景技術】
【０００２】
水道法では、「給水栓における水が遊離残留塩素を0.1mg/Ｌ（結合残留塩素の場合は0.4mg/Ｌ）以上保持するように塩素消毒すること。」が定められており、水道水の残留塩素濃度が前記規定値より低い場合は、塩素剤（主に次亜塩素酸ナトリウム溶液）を添加する必要がある。
【０００３】
塩素剤が全く含まれない原水に塩素剤を添加するのであれば、水道水の水量に比例した量の塩素剤を添加することにより、残留塩素濃度を一定に保持し易いが、すでに塩素剤が含まれている水に不足分の塩素剤を添加して残留塩素を規定値に保持するには、残留塩素計で測定される残留塩素濃度を考慮して添加しないと、添加後の残留塩素濃度を規定値に保持することはできない。
【０００４】
つまり、水道水の残留塩素濃度を規定値に保持するには、水道水の水量と、この水道水に含まれる残留塩素の濃度の両方を測定し、この測定値を所定の演算式に基づいて演算し、水道水への塩素剤の添加量を決定する必要がある。
【０００５】
往復動ポンプにて塩素剤を添加して水道水の残留塩素濃度を規定値に保持する場合、水量計と残留塩素計で測定された水道水の水量と残留塩素濃度は、各々がアナログ信号として調節計へ入力されて演算処理され、往復動ポンプにおける塩素剤の吐出量が算出され、その算出値に基づく指令信号が調節計から往復動ポンプに装備されたコントローラへ入力され、これにより往復動ポンプが運転する（例えば、特許文献１参照）。
【先行技術文献】
【特許文献】
【０００６】
【特許文献１】実公昭６３−１５９２７号公報
【考案の概要】
【考案が解決しようとする課題】
【０００７】
しかしながら、調節計は高価なものが多く、その操作も複雑であり、不慣れだと操作を間違える恐れがあり、作業者の負担になることが多かった。
そのため、配水設備等で使用される往復動ポンプには調節計を装備せず、水量（アナログ）信号のみを指令信号としてポンプを運転制御することも多々あり、水量信号のみでポンプ稼働率（塩素剤の吐出量）を決定する場合、万一添加前の残留塩素濃度が予想以上に低かった時でも添加後の残留塩素濃度に不足が生じないように、多めの塩素剤を添加することが多かった。
【０００８】
この場合において、添加前の残留塩素濃度がすでに規定値に近似していた時には、多めの塩素剤を更に添加することになるため残留塩素濃度が高くなり過ぎ、塩素臭はきつく不快になり、飲料水としては適当でなかったり、また多めの添加量は塩素剤の無駄となっていた。
【０００９】
そこで、本考案では、調節計を使用することなく、往復動ポンプに装備された運転用コントローラが複数のアナログ信号を演算処理してこの処理に基づいて往復動ポンプを運転させることを目的としている。
【課題を解決するための手段】
【００１０】
上記課題に鑑み、本考案の往復動ポンプに装備された運転制御用のコントローラは、入力された複数のアナログ信号を演算して算出された吐出量に基づき往復動ポンプを稼働させることを特徴とする。
【考案の効果】
【００１１】
要するに本考案は、上記構成からなるので、従来の様に調節計を使用することなく、往復動ポンプに装備された運転用コントローラが複数のアナログ信号を演算処理してこの処理に基づいて往復動ポンプを運転させられる。
よって、水量計と残留塩素計で測定された水道水等の使用水の水量と残留塩素濃度が夫々にアナログ信号としてコントローラに直接入力されると、該コントローラにより塩素剤の吐出量が算出されると共に、この吐出量に基づいて往復動ポンプを稼働させられ、使用水の残留塩素濃度を規定値に保持できる。
この様に、本考案によれば、調節計を使用しないので、往復動ポンプのコストを低減できると共に、調節計で用いた特殊な操作を必要とすることもなく、水量と残留塩素濃度に変動を生じても、常に残留塩素濃度を規定値に保持できる。
【００１２】
また、本考案によれば、上記の様に複数のアナログ信号を演算処理してこの処理に基づいて往復動ポンプを運転させられるので、残留塩素濃度を規定値に保持するための水量（アナログ）信号と残留塩素濃度（アナログ）信号のみならず、使用水の水質を一定基準に保持するために、各種測定機で測定される複数項目の測定値に基づく複数のアナログ信号をコントローラに入力し、各種の水質改善剤（例えば濁度の測定では凝集剤としてのポリ塩化アルミニウム溶液や硫酸アルミニウム溶液、ｐＨの測定では酸液又はアルカリ液）の使用水に対する添加量を演算して往復動ポンプを稼働させることも可能である等その実用的効果甚だ大である。
【図面の簡単な説明】
【００１３】
【図１】本考案の一実施例を示す構成図である。
【考案を実施するための形態】
【００１４】
以下本考案の実施の一形態例を図面に基づいて説明する。
図１に示す様に、本考案に係るコントローラ１は、水道水やプール水等の塩素消毒される水（以下、使用水と称する。）に塩素剤（次亜塩素酸ナトリウム溶液）を注入する往復動ポンプ２にこれの運転制御用に装備された制御装置である。
このコントローラ１は、入力される複数のアナログ信号Ａ、Ｂを演算して算出された吐出量（以下、ポンプ稼働率とも称する。）に基づき往復動ポンプ２を稼働させる。
【００１５】
アナログ信号Ａ、Ｂは、使用水を水量計３で検知して送信される水量信号Ａと、前記使用水を残留塩素計４で検知して送信される残留塩素濃度信号Ｂである。
これらの複数のアナログ信号Ａ、Ｂが、コントローラ１に直接入力されると、該コントローラ１では、これに予め入力された演算式によって前記各信号Ａ、Ｂを演算処理して塩素剤の吐出量を算出し、この吐出量に基づいてコントローラ１が往復動ポンプ２を稼働させる。
これにより、使用水の水量と残留塩素濃度に変動を来しても、常に残留塩素濃度を規定値に保持できる。
【００１６】
また、本考案によれば、上記の様に複数のアナログ信号Ａ、Ｂを演算処理するコントローラ１で往復動ポンプ２を運転させられるので、残留塩素濃度を規定値に保持するための水量信号Ａと残留塩素濃度信号Ｂのみならず、使用水の水質を一定基準に保持するために、各種水質測定機で測定される複数項目の測定値に基づく複数のアナログ信号をコントローラ１に入力し、各種の水質改善剤の使用水に対する添加量を演算して往復動ポンプ２を稼働させることも可能としている。
【００１７】
例えば、濁度を規定値に保持する場合には、濁度計で検知して送信される濁度信号と水量計で検知して送信される水量信号がコントローラ１に入力されることにより、水質改善剤としての凝集剤（ポリ塩化アルミニウム溶液や硫酸アルミニウム溶液）の吐出量を算出し、これに基づき往復動ポンプ２を稼働させる。
その他に、ｐＨを規定値に保持する場合では、ｐＨ計で検知して送信されるｐＨ信号と水量計で検知して送信される水量信号がコントローラ１に入力されることにより、水質改善剤としての酸液又はアルカリ液の吐出量を算出し、これに基づき往復動ポンプ２を稼働させる。
【００１８】
また、上記では２種のアナログ信号Ａ、Ｂをコントローラ１に入力し、これらの信号Ａ、Ｂに基づき演算して各種の水質改善剤（塩素剤、凝集剤等）の吐出量（ポンプ稼働率）を算出し、往復動ポンプ２を運転させるものを示したが、３種以上の各種項目（例えば、水量、残留塩素濃度、水温など）の信号をコントローラ１に入力し、これらの信号を基に各種の水質改善剤のポンプ稼働率を算出してこれに基づき往復動ポンプ２を稼働させることも可能である。
尚、当然ながら、コントローラ１には入力される複数の各種信号に応じて演算式が予め入力される。
【符号の説明】
【００１９】
１  コントローラ
２  往復動ポンプ
Ａ  アナログ信号
Ｂ  アナログ信号
【図１】
0003170880.tif 000003